(57)【要約】【課題】トルク設定とラジェットの両機能を一体化して操作性を向上させたラジェットレンチを提供する。【解決手段】ハンドル２を、把持部２ａと、先端にラジェット部４を有し後端部が把持部２ａの先端に軸体１０を中心として回転自在に連結するラジェット保持部２ｂとで構成する。把持部２ａの中空部にスライド自在に嵌合配置された押圧体２４に嵌合凸部２８を設け、この嵌合凸部２８をコイルスプリング３０の弾発力によりラジェット保持部２ｂに形成された嵌合凹部３２に圧接する。嵌合凹部３２と嵌合凸部２８はハンドル２を一直線状に保持し、ラジェット部４に所定の値を越えた回転力が把持部２ａの揺動運動により加わると嵌合凹部３２と嵌合凸部２８の嵌合状態がコイルスプリング３０の弾力に抗して外れ把持部２ａが軸体１０を中心としてラジェット保持部２ｂに対して揺動方向に屈折する。【選択図】  図１
2004358625.tif 000002
【特許請求の範囲】
【請求項１】
中空部を有する細長状の把持部と、先端にラジェット部を有し後端部が前記把持部の先端に該把持部の長手方向に対して直角な軸体を中心として回転自在に連結する細長状のラジェット保持部と、前記把持部の中空部にスライド自在に嵌合配置された押圧体と、該押圧体と前記ラジェット保持部の対向部の一方と他方に形成された嵌合凹部と嵌合凸部を有しこれら嵌合凹部と嵌合凸部が密嵌した状態において前記把持部とラジェット保持部とを一直線状に保持するトルク伝達部と、前記把持部の後端に回転自在に取り付けられたノブに固定され前記把持部の中空部に軸方向に移動しないように回転自在に配置されたねじと、前記ねじに螺合し該ねじの回転により前記把持部の中空部内を軸方向に移動可能なナットと、前記押圧体と前記ナットとの間に圧縮配置され前記嵌合凹部と嵌合凸部とが圧接する方向に弾発力を付与するコイルスプリングとを備え、前記トルク伝達部に所定の値を越えた回転力が前記把持部の揺動運動により加わると前記嵌合凹部と嵌合凸部の嵌合状態が前記コイルスプリングの弾力に抗して外れ前記把持部が前記軸体を中心として前記ラジェット保持部に対して揺動方向に屈折するようにしたことを特徴とするラジェットレンチ。
【請求項２】
前記把持部の管璧に設定トルク値を示す目盛りが形成された窓を設け、前記ナットに指標部材を連結し、該指標部材に形成した指標を前記窓から観察可能として設定トルク値を前記窓に表示するようにしたことを特徴とする請求項１に記載のラジェットレンチ。
【請求項３】
前記嵌合凹部を、前記押圧体とラジェット保持部のいずれか一方側に前記軸体に対して平行な軸線に沿って所定範囲に亘って形成された、断面が略円弧の凹曲面により構成し、前記嵌合凸部を、前記押圧体とラジェット保持部のいずれか他方側に前記軸体に対して平行な軸線に沿って所定範囲に亘って形成された、断面が前記凹曲面に対応する略円弧の凸曲面により構成したことを特徴とする請求項１に記載のラジェットレンチ。
【請求項４】
前記嵌合凹部を前記ラジェット保持部の後端部に設け、前記嵌合凸部を前記押圧体に設けたことを特徴とする請求項１に記載のラジェットレンチ。
【請求項５】
前記ナットにストッパー用の部材を連結し、前記ナットを前記ノブの回転により前記コイルスプリングを圧縮する方向に移動し該部材の先端を前記押圧体に当接可能とし、該当接によって前記嵌合凹部と嵌合凸部の密嵌状態が解除されないようにしたことを特徴とする請求項１乃至請求項４の中のいずれか１つに記載のラジェットレンチ。
【発明の詳細な説明】
【０００１】
【発明の属する技術分野】
本発明は、歯科治療時等に使用されるトルク値を任意に設定可能なラジェットレンチに関する。
【０００２】
【従来の技術】
従来、人工歯根を顎骨に設けられた孔へ挿入する場合、人工歯根に一方向の回転運動を適宜な力をかけて行う必要がある。そこで、約１／２回転以下の回転運動を反復させるだけで人工歯根に一方向の回転運動を行わせるラチェットレンチが使用されている。また、このような歯科治療用ラチェットレンチにおいて、回転時における回転力が所定の力を越えるとき、この回転を停止する回転調整部を設けることにより、過剰な力が加えられることがないようにしたラチェットレンチが知られている（例えば特許文献１参照）。
また、レンチを回し、次にその開始位置までラチェットを動作して戻すごとに、ねじ又はボルトに加わるトルク量を漸進的に表示するトルクインジケータを有するラチェットレンチが知られている（例えば特許文献２参照）。
【０００３】
【特許文献１】
特開平１１−７６２６５号公報（第１ページ、第１図）
【特許文献２】
特開２００２−５３３１５６号公報（第１ページ、第１図）
【０００４】
【発明が解決しようとする課題】
本発明の主たる目的は、トルク設定とラジェットの両機能を一体としたトルク設定機能付きラジェットレンチを提供することである。
また本発明は、設定したトルク値を確実に伝達し得るようにするとともに、操作性及びトルク伝達部の耐久性に優れ、しかも構造が簡単で安価に製造することができるトルク設定機能付きラジェットレンチを提供することを目的とするものである。
【０００５】
【課題を解決するための手段】
上記目的を達成するため本発明は、中空部を有する細長状の把持部と、先端にラジェット部を有し後端部が前記把持部の先端に該把持部の長手方向に対して直角な軸体を中心として回転自在に連結する細長状のラジェット保持部と、前記把持部の中空部にスライド自在に嵌合配置された押圧体と、該押圧体と前記ラジェット保持部の対向部の一方と他方に形成された嵌合凹部と嵌合凸部を有しこれら嵌合凹部と嵌合凸部が密嵌した状態において前記把持部とラジェット保持部とを一直線状に保持するトルク伝達部と、前記把持部の後端に回転自在に取り付けられたノブに固定され前記把持部の中空部に軸方向に移動しないように回転自在に配置されたねじと、前記ねじに螺合し該ねじの回転により前記把持部の中空部内を軸方向に移動可能なナットと、前記押圧体と前記ナットとの間に圧縮配置され前記嵌合凹部と嵌合凸部とが圧接する方向に弾発力を付与するコイルスプリングとを備え、前記トルク伝達部に所定の値を越えた回転力が前記把持部の揺動運動により加わると前記嵌合凹部と嵌合凸部の嵌合状態が前記コイルスプリングの弾力に抗して外れ前記把持部が前記軸体を中心として前記ラジェット保持部に対して揺動方向に屈折するようにしたものである。
また本発明は、前記把持部の管璧に設定トルク値を示す目盛りが形成された窓を設け、前記ナットに指標部材を連結し、該指標部材に形成した指標を前記窓から観察可能として設定トルク値を前記窓に表示するようにしたものである。  また本発明は、前記嵌合凹部を、前記押圧体とラジェット保持部のいずれか一方側に前記軸体に対して平行な軸線に沿って所定範囲に亘って形成された、断面が略円弧の凹曲面により構成し、前記嵌合凸部を、前記押圧体とラジェット保持部のいずれか他方側に前記軸体に対して平行な軸線に沿って所定範囲に亘って形成された、断面が前記凹曲面に対応する略円弧の凸曲面により構成したものである。
また本発明は、前記嵌合凹部を前記ラジェット保持部の後端部に設け、前記嵌合凸部を前記押圧体に設けたものである。
また本発明は、前記ナットにストッパー用の部材を連結し、前記ナットを前記ノブの回転により前記コイルスプリングを圧縮する方向に移動し該部材の先端を前記押圧体に当接可能とし、該当接によって前記嵌合凹部と嵌合凸部の密嵌状態が解除されないようにしたものである。
【０００６】
【発明の実施の形態】
以下に本発明の実施の形態を添付した図面を参照して詳細に説明する。
図１において、符号２は細長状のステンレス製のハンドルであり、把持部２ａとラジェット保持部２ｂとから構成されている。ラジェット保持部２ｂの先端には図６に示すように、ラジェット部４が装着されている。ラジェット部４は嵌合穴６を有し、この嵌合穴６に、インプラント歯科治療などに使用される種々の器具を装着した各種のアタッチメントをワンタッチで脱着可能に装着し得るように構成されている。
【０００７】
前記ラジェット部４は、ハンドル２の、前記嵌合穴６を中心とする、図６中、矢方向Ｃ，Ｄで示す、正逆２方向の揺動運動を、一方向のみ前記嵌合穴６に伝達するように構成されている。前記ラジェット保持部２ｂの後端には、盤状部２ｃが一体的に形成され、これの中心部の穴にボールベアリングから成る軸受け８の外輪が嵌着している。また、前記把持部２ａの一端連結部には凹入部２ｄが形成されている。前記凹入部２ｄに前記盤状部２ｃが挿入配置され、該凹入部２ｄと盤状部２ｃは、軸体１０を介して、略１３５度の範囲内で回転自在に連結している。
【０００８】
前記把持部２ａの内径部には円柱状の中空部２ｅが形成されている。前記中空部２ｅの一端近傍は、若干小径な部分が形成され、該小径部分によって、前記把持部２ａの先端近傍の内周壁面に段差ｄが形成されている。１２はトルク設定用のノブであり、これの中心に軸体１２の軸部１２ａの一方が固着されている。前記軸体１２の軸部１２ａの他方は、把持部２ａの後端の内径部に螺合されたメタル１４に回転自在に嵌合している。
【０００９】
１６は円筒形のナットであり、前記把持部２ａの中空部２ｅにスライド自在に嵌合し、これに、円筒形の指標部材１８の一方が嵌着している。前記ナット１６の内径部には、前記軸体１２のねじ部１２ｂが螺合している。前記指標部材１８の管璧には、長手方向に沿ってスリット２０が形成され、これに、把持部２ａの管璧に固着された回転止めねじ２２がスリット２０に対してスライド自在に嵌挿している。前記軸体１２のつば部１２ｃは、前記メタル１４の端面に回転自在に当接し、軸体１２の、図２中、右方向の移動を阻止している。
【００１０】
２４は押圧体であり、その円柱状の軸部２４ａに形成されたつば部２４ｂが、把持部２の円周面にスライド自在に嵌挿され、軸部２４ａの一方が、段差ｄに係止されたスリーブ２６を介して、把持部２の内周面にスライド自在に嵌合している。前記押圧体２４の軸部２４ａの先端には、半円柱状の凸曲面から成る嵌合凸部２８が形成され、該嵌合凸部２８は、前記押圧体２４のつば部２４とナット１６との間に圧縮配置されたトルク設定用のコイルスプリング３０の弾発力により、前記盤状部２ｃに形成された凹曲面から成る嵌合凹部３２に弾圧的に密嵌している。
【００１１】
前記嵌合凹部３２と前記嵌合凸部２８はトルク伝達部を構成し、嵌合凹部３２と嵌合凸部２８が密嵌した状態において、前記ハンドル２の把持部２ａと、ラジェット保持部２ｂは一直線状に保持される。前記嵌合凹部３２の凹曲面は、断面形状が図１に示すように、円弧状に構成され、該凹曲面は、前記盤状部２ｃの外周面に、前記軸体１０の中心軸線Ｌ１に対して平行な軸線Ｌ２に沿って形成されている。前記嵌合凸部２８の凸曲面は、前記嵌合凹部３２の凹曲面と同一の曲率を有し、前記押圧体２４の軸部２４ａの端部に、該軸体２４ａの中心軸線に対して直角な軸線Ｌ２に沿って形成され、断面弧状の半円柱面を構成している。
【００１２】
前記指標部材１８には、トルク指示線３４が刻設され、このトルク指示線３４は、把持部２ａに形成された窓３６から観察できるように構成されている。前記窓３６の周囲には、トルク値を示す目盛りが設けられている。また、ノブ１２と把持部２ａとの接合部には、図６に示すように、それぞれ、ノブ１２の回転数を表示するための回転数表示目盛り３８，３８が設けられている。
【００１３】
上記した構成において、ラジェット部４の嵌合穴６にインプラント用の各種の器具を装着したアタッチメントを装着し、且つ、ノブ１２を回転してトルク値を設定する。次に、把持部２ａに形成された指当て部２ｆを、図６に示すように、指４０で挟んで、ハンドル２を手に持ち、アタッチメントを、回転すべき部材に係合して、ハンドル２を嵌合穴６を中心として左右に揺動すると、ラジェット部４は、一方向に回転する。回転すべき部材に、設定したトルク値を越えた負荷がかかると、嵌合凸部２８が、コイルスプリング３０の弾発力に抗して、嵌合凹部３２から外れる。
【００１４】
このトルク保持解除により、把持部２ａが、軸体１０を中心として、ラジェット保持部２ｂに対して、図６（Ｂ）に示すように、屈折し、設定値を越えたトルクが回転すべき部材に伝達されない。トルク値は、ノブ１２を回転することにより設定された範囲内で所望の値に設定することができる。ノブ１２を正逆回転すると、ナット１６が、図２中、左右方向に移動し、コイルスプリング３０の圧縮率が変化し、押圧体２４に対する弾発力が変化し、設定トルク値が変化する。
【００１５】
ノブ１２を最大トルクを越えて回転し、指標部材１８の先端１８ａを、押圧体２４のつば部２４ｂに当接させると、押圧体２４は、指標部材１８によって係止され、嵌合凹部３２からの圧力を逃げる方向に移動できなくなり、把持部２ａとラジェット保持部２ｂは固定される。これにより、トルクに無関係な従来のラジェットレンチとして使用できる。また、本実施形態では、嵌合凹部３２と嵌合凸部２８の嵌合面を軸方向に延びる断面円弧状の互いに同一曲率のわん曲面としたので、互いの接触面積を大きくとることができ、摩耗が少なく、しかも、確実なトルク伝達が可能となる。
【００１６】
【発明の効果】
本発明は上述の如く構成したので、トルク設定とラジェットの両機能を一体化することができ、狭い口中等での作業に最適なラジェットレンチを提供することができる。
【図面の簡単な説明】
【図１】本発明であるラジェットレンチの一部を切り欠いた平面図である。
【図２】ラジェットレンチの断面図である。
【図３】ラジェットレンチの構成要素の一つである押圧体を示し、（Ａ）は平面図、（Ｂ）は側面図、（Ｃ）は正面図である。
【図４】ハンドルの一部の断面図である。
【図５】ハンドルの一部の側面図である。
【図６】本発明のラジェットレンチを示し、（Ａ）は平面図、（Ｂ）は平面図である。
【符号の説明】
２      ハンドル
２ａ    把持部
２ｂ    ラジェット保持部
２ｃ    盤状部
２ｄ    凹入部
２ｅ    中空部
２ｆ    指当て部
４      ラジェット部
６      嵌合穴
８      軸受け
１０    軸体
１２    軸体
１４    メタル
１６    ナット
１８    指標部材
２０    スリット
２２    回転止めねじ
２４    押圧体
２６    スリーブ
２８    嵌合凸部
３０    コイルスプリング
３２    嵌合凹部
３４    トルク指示線
３６    窓
３８    回転数表示目盛
４０    指
【図１】
2004358625.tif 000003
【図２】
2004358625.tif 000004
【図３】
2004358625.tif 000005
【図４】
2004358625.tif 000006
【図５】
2004358625.tif 000007
【図６】
2004358625.tif 000008